(57)【要約】      （修正有）【課題】車両盗難にともなう車両からのナンバープレートの取り外しを容易に検知する。【解決手段】判定装置１００は、車両に搭載された第１の通信装置２００とナンバープレートに取り付けられた第２の通信装置３００との間で通信が不可能な状態になると、車両からナンバープレートが取り外されたと判定する。第１の通信装置２００は、判定装置１００が車両からナンバープレートが取り外されたと判定した場合、所定の通知を行う。【選択図】図１
2020104659.tif 000002
【特許請求の範囲】
【請求項１】
車両にナンバープレートが取り付けられているかどうかを判定する判定装置と、
前記判定装置が、前記車両から前記ナンバープレートが取り外されたと判定した場合、所定の通知を行う第１の通信装置とを有する検知システム。
【請求項２】
請求項１に記載の検知システムにおいて、
前記車両の電気系統配線から給電され、該車両のナンバープレートに取り付けられた第２の通信装置を有し、
前記第１の通信装置は、前記ナンバープレートが前記車両に取り付けられた状態で、前記第２の通信装置との間で通信が可能な位置に取り付けられ、
前記判定装置は、前記第１の通信装置と前記第２の通信装置との間で通信が不可能な状態になると、前記車両から前記ナンバープレートが取り外されたと判定する検知システム。
【請求項３】
請求項２に記載の検知システムにおいて、
前記第１の通信装置と前記第２の通信装置とは、Ｂｌｕｅｔｏｏｔｈ（登録商標）を用いて互いの間で通信を行う検知システム。
【請求項４】
請求項２または請求項３に記載の検知システムにおいて、
位置情報取得機能を具備する携帯端末を有し、
前記第１の通信装置は、前記通知を前記携帯端末に対して行い、
前記携帯端末は、前記通知を受信すると、当該携帯端末の位置情報および前記通知を受信した日時を示す日時情報とともに、所定の通知をサーバへ送信する検知システム。
【請求項５】
請求項４に記載の検知システムにおいて、
前記第１の通信装置と前記携帯端末とは、Ｂｌｕｅｔｏｏｔｈ（登録商標）を用いて互いの間で通信を行う検知システム。
【請求項６】
請求項２から５のいずれか１項に記載の検知システムにおいて、
前記第１の通信装置は、固有の電源を具備し、該電源からの給電または前記車両の電気系統配線からの給電を用いて動作する検知システム。
【請求項７】
請求項１に記載の検知システムにおいて、
前記車両に前記ナンバープレートが取り付けられている状態で圧力が加わる位置に配置され、加わる圧力に応じて抵抗値が変化する感圧センサを有し、
前記判定装置は、前記感圧センサの抵抗値に基づいて、前記車両に前記ナンバープレートが取り付けられているかどうかを判定する検知システム。
【請求項８】
車両にナンバープレートが取り付けられているかどうかを判定する判定部と、
前記判定部が、前記車両から前記ナンバープレートが取り外されたと判定した場合、所定の通知を行う通知部とを有する検知装置。
【発明の詳細な説明】
【技術分野】
【０００１】
本発明は、検知システムおよび検知装置に関する。
【背景技術】
【０００２】
近年、車両に取り付けられたナンバープレートの盗難被害が多く発生している。盗難されたナンバープレートは、盗難車の偽装等に利用されることもあり、二次犯罪につながるケースも多い。また、盗難された車両は、ナンバープレートが取り外されているものが多く、ナンバープレートの取り外しを検知することが、車両の盗難検知に結びつくこととなる。
【０００３】
車両からの電子ナンバープレートへの供給電圧の低下が検知されると、電源の供給を電池からの供給に切り替え、電池から供給された電源を用いて位置検出手段が位置情報を取得して外部へ送信する技術が考えられている（例えば、特許文献１参照。）。この技術を利用することで、電子ナンバープレートが車両から取り外された場合、取り外された電子ナンバープレートの位置を追跡・把握することができる。
【先行技術文献】
【特許文献】
【０００４】
【特許文献１】特許第４１４４４３５号
【発明の概要】
【発明が解決しようとする課題】
【０００５】
上述した技術においては、ナンバープレートに位置検出手段や内蔵電源を具備することが必須となり、それにかかる費用に伴いナンバープレートが高価なものとなってしまい、装置の規模も大きくなってしまうという問題点がある。
【０００６】
本発明の目的は、車両盗難にともなう車両からのナンバープレートの取り外しを容易に検知することができる検知システムおよび検知装置を提供することにある。
【課題を解決するための手段】
【０００７】
本発明の検知システムは、
車両にナンバープレートが取り付けられているかどうかを判定する判定装置と、
前記判定装置が、前記車両から前記ナンバープレートが取り外されたと判定した場合、所定の通知を行う第１の通信装置とを有する。
【０００８】
また、本発明の検知装置は、
車両にナンバープレートが取り付けられているかどうかを判定する判定部と、
前記判定部が、前記車両から前記ナンバープレートが取り外されたと判定した場合、所定の通知を行う通知部とを有する。
【発明の効果】
【０００９】
本発明においては、車両盗難にともなう車両からのナンバープレートの取り外しを容易に検知することができる。
【図面の簡単な説明】
【００１０】
【図１】本発明の検知システムの第１の実施の形態を示す図である。
【図２】図１に示した判定装置および通信装置が、車両に搭載された一形態を示す図である。
【図３】図１に示した検知システムにおける検知方法の一例を説明するためのフローチャートである。
【図４】本発明の検知システムの第２の実施の形態を示す図である。
【図５】図４に示した判定装置および通信装置が、車両に搭載された一形態を示す図である。
【図６】図４に示した検知システムにおける検知方法の一例を説明するためのフローチャートである。
【図７】本発明の検知システムの第３の実施の形態を示す図である。
【図８】図７に示した判定装置、通信装置および感圧センサが、車両に搭載された一形態を示す図である。
【図９】図７に示した検知システムにおける検知方法の一例を説明するためのフローチャートである。
【発明を実施するための形態】
【００１１】
以下に、本発明の実施の形態について図面を参照して説明する。
（第１の実施の形態）
【００１２】
図１は、本発明の検知システムの第１の実施の形態を示す図である。本形態は図１に示すように、判定装置１００と通信装置２００と通信装置３００とを有する。図２は、図１に示した判定装置１００および通信装置２００，３００が、車両４００に搭載された一形態を示す図である。図２に示すように、車両４００にはナンバープレート５００が取り付けられている。
【００１３】
判定装置１００は、車両４００にナンバープレート５００が取り付けられているかどうかを判定する。判定装置１００は、通信装置２００と通信装置３００との間で通信が不可能な状態になると、車両４００からナンバープレート５００が取り外されたと判定する。
通信装置２００は、判定装置１００が車両４００からナンバープレート５００が取り外されたと判定した場合、所定の通知を行う第１の通信装置である。通信装置２００は、ナンバープレート５００が車両４００に取り付けられた状態で、通信装置３００との間で通信が可能な位置に取り付けられている。また、通信装置２００は、通信装置３００との間で、Ｂｌｕｅｔｏｏｔｈ（登録商標）を用いて通信を行う。通信装置２００は、電池等の固有の電源を具備し、その電源からの給電または車両４００の電気系統配線からの給電を用いて動作する。
通信装置３００は、車両４００の電気系統配線から給電され、車両４００のナンバープレート５００に取り付けられた第２の通信装置である。
なお、判定装置１００と通信装置２００とから１つの装置（検知装置）を構成するものであっても良い。
【００１４】
以下に、図１に示した検知システムにおける検知方法について説明する。図３は、図１に示した検知システムにおける検知方法の一例を説明するためのフローチャートである。
【００１５】
まず、通信装置２００と通信装置３００との間で、Ｂｌｕｅｔｏｏｔｈ（登録商標）のペアリングが行われる（ステップＳ１）。この段階では、通信装置２００および通信装置３００は、車両４００の電気系統配線から給電されている。Ｂｌｕｅｔｏｏｔｈ（登録商標）のペアリングの手順については一般的なものであって良く、ここでは特に規定しない。ペアリングが完了すると、通信装置２００と通信装置３００との間で所定の通信が行われる。この通信は、互いの間で通信が可能かどうかを確認するための信号を所定のタイミングで送受信するものであっても良い。このようにして、判定装置１００が、通信装置２００と通信装置３００との間で通信が可能かどうかを判定する（ステップＳ２）。判定装置１００が、通信装置２００と通信装置３００との間で通信ができないと判定した場合、通信装置２００は、所定の通知を行う（ステップＳ３）。ここで、通信装置２００と通信装置３００との間で通信ができない、つまり通信が途絶えた原因として、例えば、車両４００からナンバープレート５００が取り外されたことで、通信装置３００が車両４００の電気系統配線から切断され、通信装置３００に電源が供給されなくなり、Ｂｌｕｅｔｏｏｔｈ（登録商標）の機能が動作しなくなったことが挙げられる。また、通信装置３００の電源が、通信装置３００に取り付けられた電池等から供給されている場合は、車両４００からナンバープレート５００が取り外されたことで、通信装置２００と通信装置３００との間の距離が、Ｂｌｕｅｔｏｏｔｈ（登録商標）が許容する通信距離を超えて通信ができなくなったことが挙げられる。また、この通知は、例えば、車両４００の車内に設けられた警告灯の点灯や、ディスプレイの表示、警告音の鳴動、他の通信装置への警告信号の送信等である。
【００１６】
このように、本形態においては、車両４００に搭載された通信装置２００と、車両４００の電気系統配線から給電されている、ナンバープレート５００に取り付けられた通信装置３００との間で近距離無線通信を行い、通信装置２００と通信装置３００との間で通信ができなくなった場合、所定の通知を行う。そのため、車両４００からのナンバープレート５００の取り外しを容易に検知することができる。車両４００からのナンバープレート５００の取り外しを検知するシステムを有することで、車両の盗難の抑止につながる。
（第２の実施の形態）
【００１７】
図４は、本発明の検知システムの第２の実施の形態を示す図である。本形態は図４に示すように、判定装置１１０と通信装置２１０と通信装置３１０と携帯端末６１０とサーバ７１０とを有する。携帯端末６１０とサーバ７１０とは、通信ネットワーク８１０を介して接続されている。図５は、図４に示した判定装置１１０および通信装置２１０，３１０が、車両４１０に搭載された一形態を示す図である。図５に示すように、車両４１０にはナンバープレート５１０が取り付けられている。
【００１８】
判定装置１１０は、車両４１０にナンバープレート５１０が取り付けられているかどうかを判定する。判定装置１１０は、通信装置２１０と通信装置３１０との間で通信が不可能な状態になると、車両４１０からナンバープレート５１０が取り外されたと判定する。
【００１９】
通信装置２１０は、判定装置１１０が車両４１０からナンバープレート５１０が取り外されたと判定した場合、携帯端末６１０へ所定の通知を行う第１の通信装置である。この通知は、車両４１０からナンバープレート５１０が取り外された旨を示す通知である。また、この通知には、通信装置２１０が具備された車両４１０を識別するための車両識別情報（例えば、車両番号やナンバープレート５１０に記載された番号）が含まれているものであっても良い。通信装置２１０は、ナンバープレート５１０が車両４１０に取り付けられた状態で、通信装置３１０との間で通信が可能な位置に取り付けられている。また、通信装置２１０は、ペアリングが完了した通信装置３１０および携帯端末６１０との間で、Ｂｌｕｅｔｏｏｔｈ（登録商標）を用いて通信を行う。通信装置２１０は、電池等の固有の電源を具備する。通信装置２１０は、通常は車両４１０の電気系統配線からの給電を用いて動作し、その給電ができなくなると電池等の固有の電源からの給電を用いて動作する。
通信装置３１０は、車両４１０の電気系統配線から給電され、車両４１０のナンバープレート５１０に取り付けられた第２の通信装置である。
なお、判定装置１１０と通信装置２１０とから１つの装置（検知装置）を構成するものであっても良い。
【００２０】
携帯端末６１０は、通信機能および位置情報取得機能を具備する。携帯端末６１０が具備する通信機能は、通信ネットワーク８１０を介してサーバ７１０と通信を行う機能およびＢｌｕｅｔｏｏｔｈ（登録商標）の通信機能を具備した他の通信装置との間でペアリングを行って通信を行う機能である。また、携帯端末６１０が具備する位置情報取得機能は、ＧＰＳ（Ｇｌｏｂａｌ  Ｐｏｓｉｔｉｏｎｉｎｇ  Ｓｙｓｔｅｍ）機能であっても良く、自身の装置の位置を示す位置情報を取得する機能である。また、携帯端末６１０には、専用のアプリケーションがインストールされており、このアプリケーションを起動すると、携帯端末６１０周辺にあるＢｌｕｅｔｏｏｔｈ（登録商標）機器を検索し、検索できた機器との間でペアリングを行うものであっても良い。また、携帯端末６１０は、通信装置２１０から通知を受信すると、取得した位置情報および通知を受信した日時を示す日時情報とともに、受信した通知を、通信ネットワーク８１０を介してサーバ７１０へ送信する。
【００２１】
サーバ７１０は、通信ネットワーク８１０を介して携帯端末６１０から送信されてきた通知に基づいて、所定の出力を行う。この出力は、携帯端末６１０から送信されてきた通知に車両４１０の車両識別情報が含まれている場合、その車両識別情報と位置情報と通知の受信日時とを表示するものであっても良いし、これらの情報を他の装置へ送信するものであっても良い。この送信先は、例えば、電子メールアドレスと車両４１０の車両識別情報とがあらかじめ対応付けられてサーバ７１０に記憶されている場合のその電子メールアドレスや、電話番号と車両４１０の車両識別情報とがあらかじめ対応付けられてサーバ７１０に記憶されている場合のその電話番号であっても良い。また、車両の盗難を管理する管理センタに設置された装置が送信先であっても良い。
【００２２】
以下に、図４に示した検知システムにおける検知方法について説明する。図６は、図４に示した検知システムにおける検知方法の一例を説明するためのフローチャートである。
【００２３】
まず、通信装置２１０と通信装置３１０との間で、Ｂｌｕｅｔｏｏｔｈ（登録商標）のペアリングが行われる（ステップＳ１１）。この段階では、通信装置２１０および通信装置３１０は、車両４１０の電気系統配線から給電されている。Ｂｌｕｅｔｏｏｔｈ（登録商標）のペアリングの手順については一般的なものであって良く、ここでは特に規定しない。ペアリングが完了すると、通信装置２１０と通信装置３１０との間で所定の通信が行われる。この通信は、互いの間で通信が可能かどうかを確認するための信号を所定のタイミングで送受信するものであっても良い。このようにして、判定装置１１０が、通信装置２１０と通信装置３１０との間で通信が可能かどうかを判定する（ステップＳ１２）。判定装置１１０が、通信装置２００と通信装置３００との間で通信ができないと判定した場合、その後、専用のアプリケーションが起動している携帯端末６１０が通信装置２１０に近づくと、通信装置２１０と携帯端末６１０との間でＢｌｕｅｔｏｏｔｈ（登録商標）のペアリングが行われる（ステップＳ１３）。ここで、通信装置２１０と通信装置３１０との間で通信ができない、つまり通信が途絶えた原因として、例えば、車両４１０からナンバープレート５１０が取り外されたことで、通信装置３１０が車両４１０の電気系統配線から切断され、通信装置３１０に電源が供給されなくなり、Ｂｌｕｅｔｏｏｔｈ（登録商標）の機能が動作しなくなったことが挙げられる。また、通信装置３１０の電源が、通信装置３１０に取り付けられた電池等から供給されている場合は、車両４１０からナンバープレート５１０が取り外されたことで、通信装置２１０と通信装置３１０との間の距離が、Ｂｌｕｅｔｏｏｔｈ（登録商標）が許容する通信距離を超えて通信ができなくなったことが挙げられる。
【００２４】
ペアリングが完了すると、通信装置２１０から携帯端末６１０へ所定の通知が行われる（ステップＳ１４）。この通知は、上述したように、車両４１０からナンバープレート５１０が取り外された旨を示す通知であり、車両４１０の車両識別情報が含まれているものであっても良い。
【００２５】
すると、携帯端末６１０は自身の装置の位置を示す位置情報を取得する（ステップＳ１５）。携帯端末６１０は、位置情報を取得すると、取得した位置情報と、通信装置２１０から受信した通知とをサーバ７１０へ送信する（ステップＳ１６）。その後、位置情報と通知とを受信したサーバ７１０は、所定の出力を行う。
【００２６】
このように、本形態においては、車両４１０に搭載された通信装置２１０と、車両４１０の電気系統配線から給電されている、ナンバープレート５１０に取り付けられた通信装置３１０との間で近距離無線通信を行う。通信装置２１０と通信装置３１０との間で通信ができなくなった後、所定のアプリケーションが起動している携帯端末６１０が通信装置２１０に近づくと、通信装置２１０と携帯端末６１０との間で近距離無線通信を行い、通信装置２１０から携帯端末６１０へ所定の通知を送信する。通知を受信した携帯端末６１０は、自身の位置情報と受信した通知とをサーバ７１０へ送信する。つまり、歩行者や他の車両の乗員等、多くの利用者が所持するスマートフォン等の携帯端末６１０を経由して、ナンバープレート５１０が取り外された車両の位置を示す情報を所定のサーバ７１０へ送信することで、その取り外しおよび車両の位置を管理センタやその車両の所有者へ通知することができる。また、本形態は、ナンバープレート５１０自体にＧＰＳ等の位置検知機能を搭載するものと比べて安価であり、消費電力も小さい。また、一般的なナンバープレート追跡システムでは検知できなかった「ナンバープレートが外されたこと」を検知することができるため、車両盗難、または、ナンバープレートの盗難が発生したことを即座に検知できる。このように、車両４１０からのナンバープレート５１０の取り外しおよびその取り外された位置を容易に検知することができる。車両４１０からのナンバープレート５１０の取り外しおよびその取り外された位置を検知するシステムを有することで、車両の盗難の抑止につながる。
（第３の実施の形態）
【００２７】
図７は、本発明の検知システムの第３の実施の形態を示す図である。本形態は図７に示すように、判定装置１２０と通信装置２２０と感圧センサ１２１とを有する。図８は、図７に示した判定装置１２０、通信装置２２０および感圧センサ１２１が、車両４２０に搭載された一形態を示す図である。図８に示すように、車両４２０にはナンバープレート５２０が取り付けられている。
【００２８】
判定装置１２０は、車両４２０にナンバープレート５２０が取り付けられているかどうかを判定する。このとき、判定装置１２０は、車両４２０にナンバープレート５２０が取り付けられているかどうかを、感圧センサ１２１を用いて判定する。例えば、感圧センサ１２１は、物体との接触の圧力に応じて抵抗値が変化する圧力センサであって、圧力を加えるとその抵抗値が小さくなるものであっても良い。このような感圧センサ１２１を用いると、判定装置１２０は、その抵抗値を所定のタイミング（周期）で測定し、測定された抵抗値の大きさに基づいて、車両４２０にナンバープレート５２０が取り付けられているかどうかを判定する。車両４２０にナンバープレート５２０が取り付けられている状態で圧力がかかる位置に感圧センサ１２１を取り付けておけば、感圧センサ１２１の抵抗値が所定の閾値以上となったときに、判定装置１２０は、車両４２０からナンバープレート５２０が外されたと判定することができる。ここで、車両４２０にナンバープレート５２０が取り付けられている状態で圧力がかかる位置は、ナンバープレート５２０が取り付けられるフレーム部材やナンバープレート５２０の裏面が挙げられる。
【００２９】
通信装置２２０は、判定装置１２０が車両４２０からナンバープレート５２０が取り外されたと判定した場合、所定の通知を行う第１の通信装置である。通信装置２２０は、電池等の固有の電源を具備し、その電源からの給電または車両４２０の電気系統配線からの給電を用いて動作する。また、通信装置２２０は、１つの基板上に感圧センサ１２１とともに搭載されたものであっても良い。また、通信装置２２０は、感圧センサ１２１の検知結果を取得し、取得した検知結果を判定装置１２０へ送信するものであっても良い。この場合、判定装置１２０は、感圧センサ１２１における検知結果を、通信装置２２０を介して取得する。
なお、判定装置１２０と通信装置２２０とから１つの装置（検知装置）を構成するものであっても良い。
【００３０】
以下に、図７に示した検知システムにおける検知方法について説明する。図９は、図７に示した検知システムにおける検知方法の一例を説明するためのフローチャートである。
【００３１】
まず、判定装置１２０が、感圧センサ１２１の抵抗値を所定のタイミングで測定する。そして、判定装置１２０が、感圧センサ１２１の抵抗値があらかじめ設定された閾値以上となったかどうかを判定する（ステップＳ２１）。
判定装置１２０が、感圧センサ１２１の抵抗値があらかじめ設定された閾値以上となったと判定した場合、通信装置２２０は、所定の通知を行う（ステップＳ２２）。この通知は、例えば、車両４２０の車内に設けられた警告灯の点灯や、ディスプレイの表示、警告音の鳴動、他の通信装置への警告信号の送信等である。
【００３２】
また、第２の実施の形態と同様に、通信装置２２０が所定の通知を行った後、所定のアプリケーションが起動している携帯端末が通信装置２２０に近づくと、通信装置２２０とその近づいた携帯端末との間で近距離無線通信を行い、通信装置２２０から携帯端末へ所定の通知を送信するものであっても良い。さらに、通知を受信した携帯端末は、自身の位置情報と受信した通知とを所定のサーバへ送信するものであっても良い。
【００３３】
このように、本形態においては、車両４２０にナンバープレート５２０が取り付けられている状態で圧力がかかる位置に感圧センサ１２１を取り付けておき、その感圧センサ１２１の抵抗値に基づいて、所定の通知を行う。そのため、車両４２０からのナンバープレート５２０の取り外しを容易に検知することができる。車両４２０からのナンバープレート５２０の取り外しを検知するシステムを有することで、車両の盗難の抑止につながる。
【００３４】
なお、上述した形態においては、近距離無線通信をＢｌｕｅｔｏｏｔｈ（登録商標）の技術を用いて行うものを例に挙げて説明したが、これに限定しない。また、上述した形態においては、車両からナンバープレートの取り外しを検知するものを述べたが、例えば、車両から、タイヤやホイール、電気部品等の他の部品の取り外しの検知に応用することができる。
【符号の説明】
【００３５】
１００，１１０，１２０    判定装置
１２１    感圧センサ
２００，２１０，２２０，３００，３１０    通信装置
４００，４１０，４２０    車両
５００，５１０，５２０    ナンバープレート
６１０    携帯端末
７１０    サーバ
８１０    通信ネットワーク
【図１】
2020104659.tif 000003
【図２】
2020104659.tif 000004
【図３】
2020104659.tif 000005
【図４】
2020104659.tif 000006
【図５】
2020104659.tif 000007
【図６】
2020104659.tif 000008
【図７】
2020104659.tif 000009
【図８】
2020104659.tif 000010
【図９】
2020104659.tif 000011